(57)【要約】【課題】不正な部品の取付を未然に防止し、遊技の公平性を確保することができる遊技台を提供する。【解決手段】制御回路基板は、収容ケースとの間に少なくとも第１の間隔を空けて収容ケースに支持され、収容ケースは、遊技制御部に向けて突出する不正防止部をさらに有する。また、制御回路基板と不正防止部の少なくとも一部とによって形成される空間の間隔が、第１の間隔よりも狭い第２の間隔とされている。【選択図】図８
2011055930.tif 000002
【特許請求の範囲】
【請求項１】
遊技制御部を有する制御回路基板と、
前記制御回路基板を内部に収容可能な収容ケースと、を備えた遊技台において、
前記制御回路基板は、
前記収容ケースとの間に少なくとも第１の間隔を空けて前記収容ケースに支持され、
前記収容ケースは、
前記遊技制御部に向けて突出する不正防止部をさらに有し、
前記制御回路基板と前記不正防止部の少なくとも一部とによって形成される空間の間隔が、
前記第１の間隔よりも狭い第２の間隔とされていることを特徴とする、
遊技台。
【請求項２】
前記不正防止部における前記制御回路基板側の面の大きさが、
前記遊技制御部、または、前記遊技制御部を載置するためのＩＣソケットにおける前記収容ケース側の面の大きさよりも大きいことを特徴とする、
請求項１に記載の遊技台。
【請求項３】
前記制御回路基板は、
前記遊技制御部を載置するためのＩＣソケットをさらに有し、
前記不正防止部は、
前記ＩＣソケットのリード部の少なくとも一部を収容する溝部を有することを特徴とする、
請求項１または２に記載の遊技台。
【請求項４】
前記不正防止部は、
前記遊技制御部または前記ＩＣソケットの少なくとも一部が視認可能な透明または半透明の材料からなることを特徴とする、
請求項１〜３のいずれかに記載の遊技台。
【請求項５】
前記不正防止部は、
前記制御回路基板に当接可能な突出部をさらに有することを特徴とする、
請求項１〜４のいずれかに記載の遊技台。
【請求項６】
前記不正防止部は、
前記収容ケースと別体であることを特徴とする、
請求項１〜５のいずれかに記載の遊技台。
【発明の詳細な説明】
【技術分野】
【０００１】
本発明は、回胴遊技機（スロットマシン）や弾球遊技機（パチンコ機）に代表される遊技台に関する。
【背景技術】
【０００２】
近年、遊技機に対する不正行為が目立ってきており、例えば、正規のマイコンを、抽選データや遊技制御プログラムを改ざんした不正なマイコンに取り替える不正行為が行なわれることがある。このような不正マイコンは、正規のマイコンと比較しても外観上では容易に区別できないように精密に作られている。このような不正行為を防止するために、制御回路基板を収容する基板ケースが開封された場合に開封の痕跡を残すようにした遊技機が提案されている（例えば、特許文献１参照）。
【０００３】
しかしながら、このような遊技機では、不正マイコンや不正電子部品の搭載などを開封の痕跡によって発見しなければならず、例えば、その痕跡が小さくて目立たないような場合には、遊技機の点検などで不正行為を見落とす可能性があった。このような問題に対して、正規のマイコンの周囲を取り囲む形状を有する基板ケースを備えた遊技機が提案されている（例えば、特許文献２参照）。
【先行技術文献】
【特許文献】
【０００４】
【特許文献１】特開２００８−４３７９６号公報
【特許文献２】特開２００７−４４５５９号公報
【発明の概要】
【発明が解決しようとする課題】
【０００５】
しかしながら、上記特許文献２の遊技機を含む従来の遊技機では、通常、基板ケースは遊技機に強固に取り付けられ、その取り付け位置によっては、目視による点検などが非効率になるといった問題がある上に、目視できる範囲以外（例えば、基板の裏側など）に不正な電子部品が取付けられるおそれがあった。
【０００６】
本発明は、このような従来の問題点を解決するためになされたものであって、不正な部品の取付を未然に防止し、遊技の公平性を確保することができる遊技台を提供することを目的とする。
【課題を解決するための手段】
【０００７】
本発明は、遊技制御部を有する制御回路基板と、前記制御回路基板を内部に収容可能な収容ケースと、を備えた遊技台において、前記制御回路基板は、前記収容ケースとの間に少なくとも第１の間隔を空けて前記収容ケースに支持され、前記収容ケースは、前記遊技制御部に向けて突出する不正防止部をさらに有し、前記制御回路基板と前記不正防止部の少なくとも一部とによって形成される空間の間隔が、前記第１の間隔よりも狭い第２の間隔とされていることを特徴とする、遊技台である。
【発明の効果】
【０００８】
本発明に係る遊技台によれば、不正な部品の取付を未然に防止し、遊技の公平性を確保することができる。
【図面の簡単な説明】
【０００９】
【図１】スロットマシンの外観斜視図を示したものである。
【図２】スロットマシンの内部構成の概略を示す前面扉を開いた斜視図である。
【図３】主制御部の回路ブロック図を示したものである。
【図４】副制御部の回路ブロック図を示したものである。
【図５】主基板収納ケース周囲の構成を示した分解斜視図である。
【図６】取付ベースに主基板収納ケースを取付けた状態を示す外観斜視図である。
【図７】主基板収納ケースの主制御基板および基板収納体を示した外観斜視図である。
【図８】（ａ）基板収納体に主制御基板を取付けた状態を示した外観斜視図である。（ｂ）（ａ）のＩ−Ｉ線に沿う断面図である。
【図９】主制御基板におけるＩＣソケット周辺を拡大して示した図である。
【図１０】（ａ）基板収納体５０２の外観斜視図である。（ｂ）（ａ）におけるＩＩ−ＩＩ線に沿う断面図である。
【図１１】（ａ）基板収納体５１２の外観斜視図である。（ｂ）（ａ）におけるＩＩＩ−ＩＩＩ線に沿う断面図である。
【図１２】（ａ）基板収納体５２２の外観斜視図である。（ｂ）（ａ）におけるＩＶ−ＩＶ線に沿う断面図である。
【図１３】基板収納体５３２の外観斜視図である。
【発明を実施するための形態】
【００１０】
以下、図面を用いて、本発明の実施形態に係るスロットマシン（遊技台）について詳細に説明する。
【００１１】
＜全体構成＞
まず、図１を用いて、本実施形態に係るスロットマシン１００の全体構成について説明する。なお、同図はスロットマシン１００の外観斜視図を示したものである。
【００１２】
スロットマシン１００は、略箱状の本体１０１と、この本体１０１の前面開口部に取り付けられた前面扉１０２とを有して構成されている。スロットマシン１００の本体１０１の中央内部には、外周面に複数種類の図柄が所定コマ数だけ配置されたリールが３個（左リール１１０、中リール１１１、右リール１１２）収納され、スロットマシン１００の内部で回転できるように構成されている。各図柄は帯状部材に等間隔で適当数印刷され、この帯状部材が所定の円形枠材に貼り付けられて各リール１１０〜１１２が構成されている。リール１１０〜１１２上の図柄は、遊技者から見ると、図柄表示窓１１３から縦方向に概ね３つ表示され、合計９つの図柄が見えるようになっている。そして、各リール１１０〜１１２を回転させることにより、遊技者から見える図柄の組み合せが変動することとなる。なお、本実施形態では、３個のリールをスロットマシン１００の中央内部に備えているが、リールの数やリールの設置位置はこれに限定されるものではない。
【００１３】
また、図柄表示窓１１３の外枠には、点滅や点灯などの点灯制御によって、後述する有効ラインや入賞ラインを報知するためのライン表示ＬＥＤ（図示省略）が配置されている。
【００１４】
さらに、スロットマシン１００内部において各々のリール１１０〜１１２の近傍には、投光部と受光部からなる光学式センサ（図示省略）が設けられており、この光学式センサの投光部と受光部の間を、リールに設けられた一定の長さの遮光片が通過するように構成されている。このセンサの検出結果に基づいてリール上の図柄の回転方向の位置を判断し、目的とする図柄が入賞ライン１１４上に表示されるようにリール１１０〜１１２を停止させる。
【００１５】
入賞ライン表示ランプ１２０は、有効となる入賞ラインを示すランプである。有効となる入賞ラインは、スロットマシン１００に投入されたメダルの数によって予め定まっている。５本の入賞ライン１１４のうち、例えば、メダルが１枚投入された場合、中段の水平入賞ラインが有効となり、メダルが２枚投入された場合、上段水平入賞ラインと下段水平入賞ラインが追加された３本が有効となり、メダルが３枚投入された場合、右下り入賞ラインと右上り入賞ラインが追加された５本が入賞ラインとして有効になる。なお、入賞ライン１１４の数については５本に限定されるものではない。
【００１６】
スタートランプ１２１は、リール１１０〜１１２が回転することができる状態にあることを遊技者に知らせるランプである。再遊技ランプ１２２は、前回の遊技において入賞役の一つである再遊技役に入賞した場合に、今回の遊技が再遊技可能であること（メダルの投入が不要であること）を遊技者に知らせるランプである。告知ランプ１２３は、内部抽選において、特定の入賞役（例えば、ＢＢ（ビッグボーナス）やＲＢ（レギュラーボーナス）等のボーナス）に内部当選していることを遊技者に知らせるランプである。メダル投入ランプ１２４は、メダルの投入が可能であることを知らせるランプである。払出枚数表示器１２５は、何らかの入賞役に入賞した結果、遊技者に払出されるメダルの枚数を表示するための表示器である。遊技回数表示器１２６は、メダル投入時のエラー表示や、ビッグボーナスゲーム中（ＢＢゲーム中）の遊技回数、所定の入賞役の入賞回数等を表示するための表示器である。貯留枚数表示器１２７は、スロットマシン１００に電子的に貯留されているメダルの枚数を表示するための表示器である。リールパネルランプ１２８は、演出用のランプである。
【００１７】
メダル投入ボタン１３０、１３１は、スロットマシン１００に電子的に貯留されているメダルを所定の枚数分投入するためのボタンである。本実施形態においては、メダル投入ボタン１３０が押下される毎に１枚ずつ最大３枚まで投入され、メダル投入ボタン１３１が押下されると３枚投入されるようになっている。メダル投入口１３４は、遊技を開始するに当たって遊技者がメダルを投入するための投入口である。すなわち、メダルの投入は、メダル投入ボタン１３０または１３１により電子的に投入することもできるし、メダル投入口１３４から実際のメダルを投入することもできる。精算ボタン１３２は、スロットマシン１００に電子的に貯留されたメダルおよびベットされたメダルを精算し、メダル払出口１５５よりメダル受皿１５６に排出するためのボタンである。メダル返却ボタン１３３は、投入されたメダルが詰まった場合に押下してメダルを取り除くためのボタンである。
【００１８】
スタートレバー１３５は、遊技の開始操作を行うためのレバー型のスイッチである。即ち、メダル投入口１３４に所望する枚数のメダルを投入して、スタートレバー１３５を操作すると、これを契機としてリール１１０〜１１２が回転し、遊技が開始される。ストップボタン１３７〜１３９は、スタートレバー１３５の操作によって回転を開始したリール１１０〜１１２に対する停止操作を行うためのボタンであり、各リール１１０〜１１２に対応して設けられている。そして、いずれかのストップボタン１３７〜１３９を操作すると対応するいずれかのリール１１０〜１１２が停止することになる。
【００１９】
ドアキー孔１４０は、スロットマシン１００の前面扉１０２のロックを解除するためのキーを挿入する孔である。メダル払出口１５５は、メダルを払出すための払出口である。メダル受皿１５６は、メダル払出口１５５から払出されたメダルを溜めるための器である。なお、メダル受皿１５６は、本実施形態では発光可能な受皿を採用している。
【００２０】
上部ランプ１５０、サイドランプ１５１、中央ランプ１５２、腰部ランプ１５３、下部ランプ１５４は、遊技を盛り上げるための装飾用のランプである。演出装置１９０は、例えば開閉自在な扉（シャッター）１６３が前面に取り付けられた液晶表示装置を含み、この演出装置１９０には、例えば小役告知等の各種の情報が表示される。音孔１６０は、スロットマシン１００内部に設けられているスピーカの音を外部に出力するための孔である。タイトルパネル１６２には、スロットマシン１００を装飾するための図柄が描かれる。
【００２１】
＜内部構成＞
次に、スロットマシン１００の内部構成について簡単に説明する。図２は、スロットマシン１００の内部構成の概略を示す前面扉１０２を開いた斜視図である。本体部としてのキャビネット１０１の内部には、主基板収納ケース２１０、副制御基板収納ケース２２０およびリールユニット１８５や、図示を省略した電源ボックス、メダル払出装置１８０、メダル補助収納部２４０、中央スピーカユニット、外部中継端子板等の諸装置が配設されている。
【００２２】
リールユニット１８５は、樹脂製のケース２２１内にステッピングモータで駆動されるリール１１０〜１１２を個別に着脱可能に取り付けて構成している。そして、このリールユニット１８５は、ケース２２１により３本のリールをユニット化し、キャビネット１０１に設けたリールユニット載置台２７８に対する着脱を容易に行えるように構成している。また、リールユニット載置台２７８の下部には、音通路２７７が取り付けられ、前面扉１０２がキャビネット１０１に閉じられた状態で前面扉１０２に取り付けられた音通路２６８と組み合わさるように構成している。中央スピーカユニットから出力された音は、この音通路２７７および音通路２６８を通過して外部に出力される。
【００２３】
キャビネット１０１の内部には、透明な樹脂ケースからなる主基板収納ケース２１０が、キャビネット１０１を構成している後板の上部に、取付ベース２３０を介して取り付けられている。この主基板収納ケース２１０の内部空間には、後述する主制御部３００を構成する電子部品を実装した主制御基板が収納されている。
【００２４】
さらに、キャビネット１０１の内部には、メダルを払い出すためのメダル払出装置１８０（以下、ホッパー１８０ということがある）が配設してある。メダル払出装置１８０は、ＤＣモータで駆動されメダルを１枚ずつ払い出すと共に、メダルを払い出す毎に検出信号を出力する払出装置本体１８１と、払出装置本体１８１にメダルを供給すると共にメダルを蓄積するメダルタンク１８２とで構成されている。そして、メダル払出装置１８０の横には、メダル補助収納部２４０が置かれており、メダル払出装置１８０がメダルでいっぱいになると、余分なメダルは流れ落ち、このメダル補助収納部２４０内に蓄積される。
【００２５】
そして、主制御基板およびリール１１０〜１１２の側方、即ち向って左側の側板には、後述する副制御部４００を構成する副制御基板を収納した副基板収納ケース２２０が配設してある。
【００２６】
一方、キャビネット１０１の側板にヒンジ装置２７６を介して蝶着された前面扉１０２には、演出装置２９０、この演出装置２９０を制御する演出制御基板を収納した演出制御基板収納ケース２７４、上部スピーカ２７２、図柄表示窓１１３を有するリールパネル２７０、投入されたメダルを選別するためのメダルセレクタ１７０、このメダルセレクタ１７０が不正なメダル等をメダル受皿１５６に落下させる際にメダルが通過する通路２６６等が設けてある。メダルセレクタ１７０は、さらに、投入されたメダルをメダルタンク１８２に案内する通路１７１を備えている。
【００２７】
＜制御部＞
次に、図３および図４を用いて、このスロットマシン１００の制御部の回路構成について詳細に説明する。
【００２８】
スロットマシン１００の制御部は、大別すると、遊技の中枢部分を制御する主制御部３００と、主制御部３００より送信されたコマンドに応じて各種機器を制御する副制御部４００と、によって構成されている。
【００２９】
＜主制御部＞
まず、図３を用いて、スロットマシン１００の主制御部３００について説明する。なお、同図は主制御部３００の回路ブロック図を示したものである。
【００３０】
主制御部３００は、主制御部３００の全体を制御するための演算処理装置であるＣＰＵ３１０や、ＣＰＵ３１０が各ＩＣや各回路と信号の送受信を行うためのデータバスおよびアドレスバスを備え、その他、以下に述べる構成を有する。クロック補正回路３１４は、水晶発振器３１１から発振されたクロックを分周してＣＰＵ３１０に供給する回路である。例えば、水晶発振器３１１の周波数が１２ＭＨｚの場合に、分周後のクロックは６ＭＨｚとなる。ＣＰＵ３１０は、クロック補正回路３１４により分周されたクロックをシステムクロックとして受け入れて動作する。
【００３１】
また、ＣＰＵ３１０には、センサやスイッチの状態を常時監視するためのタイマ割り込み処理の周期やモータの駆動パルスの送信周期を設定するためのタイマ回路３１５がバスを介して接続されている。ＣＰＵ３１０は、電源が投入されると、データバスを介してＲＯＭ３１２の所定エリアに格納された分周用のデータをタイマ回路３１５に送信する。タイマ回路３１５は、受信した分周用のデータを基に割り込み時間を決定し、この割り込み時間ごとに、割り込み要求をＣＰＵ３１０に送信する。ＣＰＵ３１０は、この割込み要求を契機に、各センサ等の監視や駆動パルスの送信を実行する。例えば、ＣＰＵ３１０のシステムクロックを６ＭＨｚ、タイマ回路３１５の分周値を１／２５６、ＲＯＭ３１２の分周用のデータを４４に設定した場合、この割り込みの基準時間は、２５６×４４÷６ＭＨｚ＝１．８７７ｍｓとなる。
【００３２】
さらに、ＣＰＵ３１０には、各ＩＣを制御するためのプログラム、入賞役の内部抽選時に用いる抽選データ、リールの停止位置等の各種データを記憶しているＲＯＭ３１２や、一時的なデータを保存するためのＲＡＭ３１３が接続されている。これらのＲＯＭ３１２やＲＡＭ３１３については他の記憶手段を用いてもよく、この点は後述する副制御部４００においても同様である。また、ＣＰＵ３１０には、外部の信号を受信するための入力インタフェース３６０が接続され、割込み時間ごとに入力インタフェース３６０を介して、スタートレバーセンサ３２１、ストップボタンセンサ３２２、メダル投入ボタンセンサ３２３、精算スイッチセンサ３２４、メダル払い出しセンサ３２６、電源判定回路３２７の状態を検出し、各センサを監視している。
【００３３】
メダル投入センサ３２０は、メダル投入口１３４に投入されたメダルを検出するためのセンサである。スタートレバーセンサ３２１はスタートレバー１３５の操作を検出するためのセンサである。ストップボタンセンサ３２２はストップボタン１３７〜１３９のいずれかが押された場合、どのストップボタンが押されたかを検出するためのセンサである。メダル投入ボタンセンサ３２３はメダル投入ボタン１３０、１３１のいずれかが押下された場合、どのメダル投入ボタンが押されたかを検出するためのセンサである。精算スイッチセンサ３２４は、精算ボタン１３２に設けられており、精算ボタン１３２が一回押されると、貯留されているメダルおよびベットされているメダルが精算されて払い出されることになる。メダル払い出しセンサ３２６は、払い出されるメダルを検出するためのセンサである。電源判定回路３２７は、スロットマシン１００に供給される電源の遮断を検出するための回路である。
【００３４】
ＣＰＵ３１０には、更に、入力インタフェース３６１、出力インタフェース３７０、３７１がアドレスデコード回路３５０を介してアドレスバスに接続されている。ＣＰＵ３１０は、これらのインタフェースを介して外部のデバイスと信号の送受信を行っている。入力インタフェース３６１には、インデックスセンサ３２５が接続されている。インデックスセンサ３２５は、各リール１１０〜１１２の取付台の所定位置に設置されており、リール１１０〜１１２に設けた遮光片がこのインデックスセンサ３２５を通過するたびにハイレベルになる。ＣＰＵ３１０は、この信号を検出すると、リールが１回転したものと判断し、リールの回転位置情報をゼロにリセットする。出力インタフェース３７０には、リールを駆動させるためのモータを制御するリールモータ駆動部３３０と、ホッパー１８０のモータを駆動するためのホッパーモータ駆動部３３１と、遊技ランプ３４０（具体的には、入賞ライン表示ランプ１２０、スタートランプ１２１、再遊技ランプ１２２、告知ランプ１２３、メダル投入ランプ１２４等）と、７セグメント（ＳＥＧ）表示器３４１（払出枚数表示器１２５、遊技回数表示器１２６、貯留枚数表示器１２７等）と、外部集中端子板２３３が接続されている。
【００３５】
また、ＣＰＵ３１０には、乱数発生回路３１７がデータバスを介して接続されている。乱数発生回路３１７は、水晶発振器３１１および水晶発振器３１６から発振されるクロックに基づいて、一定の範囲内で値をインクリメントし、そのカウント値をＣＰＵ３１０に出力することのできるインクリメントカウンタであり、後述する入賞役の内部抽選をはじめ各種抽選処理に使用される。ＣＰＵ３１０のデータバスには、副制御部４００にコマンドを送信するための出力インタフェース３７１が接続されている。主制御部３００と副制御部４００との情報通信は一方向の通信であり、主制御部３００は副制御部４００へコマンドを送信するが、副制御部４００から主制御部３００へ何らかのコマンド等を送信することはできない。
【００３６】
＜副制御部＞
次に、図４を用いて、スロットマシン１００の副制御部４００について説明する。なお、同図は副制御部４００の回路ブロック図を示したものである。
【００３７】
副制御部４００は、主制御部３００より送信された主制御コマンド等に基づいて副制御部４００の全体を制御する演算処理装置であるＣＰＵ４１０や、ＣＰＵ４１０が各ＩＣ、各回路と信号の送受信を行うためのデータバスおよびアドレスバスを備え、以下に述べる構成を有する。クロック補正回路４１４は、水晶発振器４１１から発振されたクロックを補正し、補正後のクロックをシステムクロックとしてＣＰＵ４１０に供給する回路である。
【００３８】
また、ＣＰＵ４１０にはタイマ回路４１５がバスを介して接続されている。ＣＰＵ４１０は、所定のタイミングでデータバスを介してＲＯＭ４１２の所定エリアに格納された分周用のデータをタイマ回路４１５に送信する。タイマ回路４１５は、受信した分周用のデータを基に割り込み時間を決定し、この割り込み時間ごとに、割り込み要求をＣＰＵ４１０に送信する。ＣＰＵ４１０は、この割込み要求のタイミングをもとに、各ＩＣや各回路を制御する。
【００３９】
また、ＣＰＵ４１０には、副制御部４００の全体を制御するための命令およびデータ、ライン表示ＬＥＤの点灯パターンや各種表示器を制御するためのデータが記憶されたＲＯＭ４１２や、データ等を一時的に保存するためのＲＡＭ４１３が各バスを介して接続されている。
【００４０】
さらに、ＣＰＵ４１０には、外部の信号を送受信するための入出力インタフェース４６０が接続されており、入出力インタフェース４６０には、図柄表示窓１１３の外枠に配設され、点滅や点灯などの点灯制御によって有効ラインや入賞ラインを報知するためのライン表示ＬＥＤ４２０、前面扉１０２の開閉を検出するための扉センサ４２１、ＲＡＭ４１３のデータをクリアにするためのリセットスイッチ４２２が接続されている。
【００４１】
ＣＰＵ４１０には、データバスを介して主制御部３００から主制御コマンドを受信するための入力インタフェース４６１が接続されており、入力インタフェース４６１を介して受信したコマンドに基づいて、遊技全体を盛り上げる演出処理等が実行される。また、ＣＰＵ４１０のデータバスとアドレスバスには、音源ＩＣ４８０が接続されている。音源ＩＣ４８０は、ＣＰＵ４１０からの命令に応じて音声の制御を行う。また、音源ＩＣ４８０には、音声データが記憶されたＲＯＭ４８１が接続されており、音源ＩＣ４８０は、ＲＯＭ４８１から取得した音声データをアンプ４８２で増幅させてスピーカ４８３から出力する。ＣＰＵ４１０には、主制御部３００と同様に、外部ＩＣを選択するためのアドレスデコード回路４５０が接続されており、アドレスデコード回路４５０には、主制御部３００からのコマンドを受信するための入力インタフェース４６１、時計ＩＣ４２３、７セグメント表示器４４０への信号を出力するための出力インタフェース４７２等が接続されている。
【００４２】
時計ＩＣ４２３が接続されていることで、ＣＰＵ４１０は、現在時刻を取得することが可能である。７セグメント表示器４４０は、スロットマシン１００の内部に設けられており、たとえば副制御部４００に設定された所定の情報を遊技店の係員等が確認できるようになっている。更に、出力インタフェース４７０には、デマルチプレクサ４１９が接続されている。デマルチプレクサ４１９は、出力インタフェース４７０から送信された信号を各表示部等に分配する。即ち、デマルチプレクサ４１９は、ＣＰＵ４１０から受信されたデータに応じて上部ランプ１５０、サイドランプ１５１、中央ランプ１５２、腰部ランプ１５３、下部ランプ１５４、リールパネルランプ１２８、タイトルパネルランプ１７０、払出口ストロボ１７１を制御する。タイトルパネルランプ１７０は、タイトルパネル１６２を照明するランプであり、払出口ストロボ１７１は、メダル払い出し口１５５の内側に設置されたストロボタイプのランプである。なお、ＣＰＵ４１０は、扉・液晶画面制御部４９０への信号送信は、デマルチプレクサ４１９を介して実施する。扉・液晶画面制御部４９０は、液晶表示装置１５７および扉装置１６３を制御する制御部である。
【００４３】
＜主基板収納ケース周囲の構成＞
次に、図５および図６を用いて、主基板収納ケース２１０周囲の構成について説明する。なお、図５は、主基板収納ケース２１０周囲の構成を示した分解斜視図であり、図６は、取付ベース２３０に主基板収納ケース２１０を取付けた状態を示す外観斜視図である。
【００４４】
＜主基板収納ケース＞
まず、主基板収納ケース２１０について説明する。主基板収納ケース２１０は、底面が略矩形の角皿状である基板収納体２１２および蓋体２１３を組み合わせて構成される箱体となっている。この主基板収納ケース２１０の内部の空間には、遊技に関するプログラムや各種データ等を記憶したＲＯＭ３１２や、ＣＰＵ、ＲＡＭ等のその他の電子部品２１１ａが実装され、主制御部３００を構成する主制御基板２１１が、ネジ２１１ｂによって四隅を基板収納体２１２に固定された状態で収納される。基板収納体２１２および蓋体２１３は、それぞれ透光性の樹脂から構成されており、主基板収納ケース２１０内部に収納された主制御基板を外部から視認することが可能となっている。
【００４５】
また、ＲＯＭ３１２の表面と主制御基板２１１の表面には、封印シール３１２ｂが、両者に跨って貼付けられている。従って、本実施形態では、主制御基板２１１からＲＯＭ３１２を取り外すためには封印シール３１２ｂを剥がす、または破断する必要があり、ＲＯＭ３１２を取り外した痕跡が残るようになっている。
【００４６】
基板収納体２１２の下側縁には門型のヒンジ部２１２ａが２箇所に設けられ、左右側縁の上部には矩形状の窪みである係止凹部２１２ｂがそれぞれ設けられている。そして、蓋体２１３の下側縁にはヒンジ部２１２ａと係合するフック状のフック部２１３ａが２箇所に設けられ、左右側縁の上部には係止凹部２１２ｂと係止する凸部を備える係止舌片２１３ｂがそれぞれ設けられている。従って、主基板収納ケース２１０を組み立てる場合には、まず、蓋体２１３のフック部２１３ａを基板収納体２１２のヒンジ部２１２ａに係合させ、次に、ヒンジ部２１２ａを中心に蓋体２１３を揺動させて基板収納体２１２と蓋体２１３を合わせると共に蓋体２１３の係止舌片２１３ｂを基板収納体２１２の係止凹部２１２ｂに係止させる。
【００４７】
また、基板収納体２１２および蓋体２１３の上部には、ケース用かしめピン２１４ａを挿入して両者を分離できないように封印（かしめ）するためのケース用かしめ部２１２ｃ、２１３ｃが、それぞれ４箇所に設けられている。これらのケース用かしめ部２１２ｃ、２１３ｃは、基板収納体２１２および蓋体２１３を組み合わせた場合に、基板収納体２１２のケース用かしめ部２１２ｃが蓋体２１３のケース用かしめ部２１３ｃ内に収容され、ケース用かしめピン２１４ａが挿入される挿入孔がそれぞれ連通するように構成されている。そして、この連通した挿入孔に挿入されたケース用かしめピン２１４ａが、ケース用かしめ部２１２ｃ、２１３ｃのそれぞれに取り外し不可能に係止するようになっている。すなわち、ケース用かしめピン２１４ａを挿入することにより、ケース用かしめ部２１２ｃ、２１３ｃが互いに分離不可能に結合され、主基板収納ケース２１０が封印される。
【００４８】
なお、一旦封印した主基板収納ケース２１０を開封する場合には、蓋体２１３のケース用かしめ部２１３ｃを蓋体２１３から切断する。これにより、基板収納体２１２および蓋体２１３を分離した後も、蓋体２１３のケース用かしめ部２１３ｃが基板収納体２１２のケース用かしめ部２１２ｃと結合したまま基板収納体２１２に残ることととなり、主基板収納ケース２１０を開封した痕跡が残るようになっている。本実施形態では、ケース用かしめ部２１２ｃ、２１３ｃが４箇所に設けられているため、主基板収納ケース２１０の封印を４回行うことができるようになっている。
【００４９】
また、基板収納体２１２および蓋体２１３の上部の左右両端には、固定用かしめピン２１４ｂを挿入することによって主基板収納ケース２１０の取付ベース２３０への固定を封印するための固定用かしめ部２１２ｄ、２１３ｄが２箇所に設けられている。これらの固定用かしめ部２１２ｄ、２１３ｄは、基板収納体２１２および蓋体２１３を組み合わせた場合に、基板収納体２１２の固定用かしめ部２１２ｄ内に蓋体２１３の固定用かしめ部２１３ｄの一部が収容され、固定用かしめピン２１４ｂが挿入される挿入孔がそれぞれ連通するように構成されている。そして、蓋体２１３側から固定用かしめピン２１４ｂをこの連通した挿入孔に挿入すると共に、基板収納体２１２の背後に突出した固定用かしめピン２１４ｂの先端部を取付ベース２３０に設けられた嵌入孔２３１内に嵌入することにより、主基板収納ケース２１０の取付ベース２３０への固定が封印されるようになっている。
【００５０】
固定用かしめピン２１４ｂは、先端部が基板収納体２１２の背後に突出して嵌入孔２３１に嵌入した状態では、蓋体２１３の固定用かしめ部２１３ｄと係止して取り外せないようになっている。本実施形態では、固定用かしめ部２１２ｄ、２１３ｄが２箇所に設けられているため、主基板収納ケース２１０の固定の封印を２回行うことが可能となっている。
【００５１】
なお、主基板収納ケース２１０の基板収納体２１２の左端部には、矩形状の２つの係合凸部２１２ｆが突設されており、この２つの係合凸部２１２ｆを取付ベース２３０に設けられた係合凹部２３０ｂに係合させることによって、主基板収納ケース２１０は取付ベース２３０に固定される。
【００５２】
また、本実施形態では、ケース用かしめ部２１２ｃ、２１３ｃおよび固定用かしめ部２１２ｄ、２１３ｄの配置に応じて、２つのケース用かしめピン２１４ａおよび１つの固定用かしめピン２１４ｂを略Ｅ字形状の連結部材２１４ｃで連結している。このように、複数のケース用かしめピン２１４ａおよび固定用かしめピン２１４ｂを連結し、一体化することによって、これらのかしめピン２１４ａ、２１４ｂの紛失を防止すると共に、封印忘れを防止することができる。
【００５３】
主基板収納ケース２１０の上部中央は、ＩＣタグ封印シール２１５を貼付ける部分となっている。基板収納体２１２の上部中央には、蓋体２１３に向けて突出する矩形状の凸部２１２ｅが設けられており、基板収納体２１２と蓋体２１３を組み合わせた場合に、蓋体２１３の上部中央に設けられた凹部２１３ｅ内に収容されるようになっている。そして、ＩＣタグ封印シール２１５は、基板収納体２１２の凸部２１２ｅの表面とその下方の蓋体２１３の表面に跨って貼付けられる（図６参照）。従って、本実施形態では、主基板収納ケース２１０を開封するにはＩＣタグシール２１５を剥がす、または破断する必要があり、これによっても主基板収納ケース２１０を開封した痕跡が残るようになっている。すなわち、主基板収納ケース２１０は、ＩＣタグ封印シール２１５によっても封印されている。
【００５４】
主制御基板２１１には、外部の各種基板等に繋がるケーブルを接続するための複数のコネクタ２１１ｃが実装されており、蓋体２１３には、これらのコネクタ２１１ｃに対応する位置に複数のコネクタ孔２１３ｆが設けられている。主制御基板２１１が主基板収納ケース２１０内に収納された状態では、各コネクタ２１１ｃは、対応するコネクタ孔２１３ｆから一部が露出するようになっている。従って、主基板収納ケース２１０を開封しなくとも、外部の各種基板等に繋がるケーブルを各コネクタ２１１ｃに接続することが可能となっている。また、逆に、各コネクタ２１１ｃに接続されたケーブルを外さない限り、基板収納体２１２と蓋体２１３を分離して主基板収納ケース２１０を開封することができないため、これらのコネクタ２１１ｃは、主基板収納ケース２１０の開封を阻止する開封阻止部として機能している。なお、本実施形態では、コネクタ２１１ｃが主制御基板２１１の左右両端部に実装されているため、コネクタ孔２１３ｆは蓋体２１３の左右両端部にのみ設けられている。
【００５５】
＜取付ベース＞
次に、取付ベース２３０について説明する。取付ベース２３０は、透光性のある樹脂から構成された略矩形状の部材であり、中央に主基板収納ケース２１０を固定して収容するための矩形状の窪みである収容凹部２３０ａが形成されている。収容凹部２３０ａ底面の四隅近傍には、取付ベース２３０をキャビネット１０１に固定するためのネジを挿通する挿通孔２３２が形成されている。これらの挿通孔２３２は、収容凹部２３０ａ内に主基板収納ケース２１０が固定された状態では、主基板収納ケース２１０によって遮蔽されることとなる。従って、主基板収納ケース２１０を取付ベース２３０から取り外さない限り、取付ベース２３０をキャビネット１０１から取り外すことができないようになっている。
【００５６】
収容凹部２３０ａは、主基板収納ケース２１０の基板収納体２１２の２つの係合凸部２１２ｆと係合する２つの係合凹部２３０ｂが左側面に設けられると共に、左右方向の幅が主基板収納ケース２１０よりやや大きく形成され、収容凹部２３０内で主基板収納ケース２１０を左右にスライド可能に構成されている。従って、主基板収納ケース２１０は、一旦右よりに収容凹部２３０ａ内に収容した後に左方向にスライドさせ、係合凸部２１２ｆを係合凹部２３０ｂに係合させることによって取付ベース２３０に固定される。なお、収容凹部２３０ａの下側側面には、主基板収納ケース２１０のヒンジ部２１２ａおよびフック部２１３ａと干渉しないようにするための２つの切欠き部２３０ｃが形成されている。
【００５７】
係合凸部２１２ｆを係合凹部２３０ｂに係合させた後、固定用かしめ部２１２ｄ、２１３ｄを通して固定用かしめピン２１４ｂを収容凹部２３０ａの底面に設けられた嵌入孔２３１に嵌入し、主基板収納ケース２１０の左右方向の移動を規制することによって、主基板収納ケース２１０の取付ベース２３０への固定が封印される。これにより、固定用かしめピン２１４ｂまたは固定用かしめ部２１２ｄ、２１３ｄを破壊する等の痕跡を残さない限り、主基板収納ケース２１０を取り外すことが不可能となる。嵌入孔２３１は、係合凸部２１２ｆを係合凹部２３０ｂに係合させた状態での固定用かしめ部２１２ｄ、２１３ｄに対応する位置、すなわち収容凹部２３０ａ底面の上側の左右角部の近傍にそれぞれ設けられている。
【００５８】
なお、収容凹部２３０ａは、主基板収納ケース２１０の基板収納体２１２と蓋体２１３の合せ面が収容凹部２３０ａ内に位置する深さに形成されている。本実施形態では、収容凹部２３０ａの深さをこのように設定することで、基板収納体２１２と蓋体２１３の合せ面への外部からのアクセスを遮断し、この合せ面を介した不正行為を防止するようにしている。
【００５９】
取付ベース２３０の右側面下部には、外部集中端子板２３３を固定するための外部集中端子板固定部２３０ｄが突設されている。この外部集中端子板２３３は、遊技店等に設置される情報収集装置（例えば、ホールコンピュータ）、および主制御基板２１１に接続され、主制御基板２１１から情報収集装置への各種情報の送信を中継するためのものである。なお、主制御基板２１１と情報収集装置の間の通信は一方向通信であり、情報収集装置から主制御基板への情報の送信はできないようになっている。外部集中端子板２３３は、外部集中端子板固定部２３０ｄの表面において、左側端部を２つの固定片２３０ｅの背後に嵌め込んだ後に右側端部を２つの係止片２３０ｆに係止させることによって固定される。
【００６０】
取付ベース２３０表面の左端部には、主制御基板２１１のコネクタ２１１ｃに接続されたケーブルを部分的に収容するためのケーブル用凹部２３０ｇが形成されている。ケーブル用凹部２３０ｇには、主制御基板２１１の左側に配置されたコネクタ２１１ｃに接続されるケーブルを拘束する（図５参照）ためのケーブル拘束具２３４が２つ配設されている。これらのケーブル拘束具２３４は、ケーブル用凹部２３０ｇの底面に設けられた２つの取付孔２３０ｈに、固定ピン２３４ａを挿入して係止させることにより、着脱可能に取付けられる。
【００６１】
取付ベース２３０表面の左上部、右上部、および左下部の３箇所には、後述するカバー部材２５０を取付ベース２３０に取り付けるための、案内溝２３５が設けられている。これらの案内溝２３５は、左右方向に所定の長さで形成された溝状の孔であり、左側半分の幅広の挿脱部２３５ａ、および右側半分の幅狭の案内部２３５ｂから構成されている。さらに、取付ベース２３０表面の左下部には、取付ベース２３０に取り付けたカバー部材２５０の左方向への移動を規制するための制止片２３６が設けられている。この制止片２３６は、取付ベース２３０の一部を切り欠くことにより、弾性変形によって先端部が表裏方向に移動可能な舌片状に形成したものである。制止片２３６の先端部表面には、先端に向けて漸次肉厚が増すように形成された斜面部２３６ａが設けられている。従って、制止片２３６の先端部は、斜面部２３６ａが取付ベース２３０の表面から突出した状態となっている。
【００６２】
また、取付ベース２３０表面の右上部には、後述するカバー用かしめピン２６０の一部が挿入される平坦部用第１挿入孔２３７およびカバー用かしめピン２６０の一部が係止する退避部用第１係止孔２３８が設けられている。
【００６３】
＜カバー部材＞
次に、カバー部材２５０について説明する。カバー部材２５０は、取付ベース２３０に固定された主基板収納ケース２１０の上部に配置されたケース用かしめ部２１２ｃ、２１３ｃ、固定用かしめ部２１２ｄ、２１３ｄ、およびＩＣタグ封印シール２１５を前方（表側）から覆う（遮蔽する）と共に、主基板収納ケース２１０の左端部に位置するコネクタ２１１ｃを前方から覆う（遮蔽する）ための部材である。従って、カバー部材２５０は、水平方向に伸びる横長の略長方形板状の水平部２５０ａ、および水平部２５０ａの左端部を基端として下方向に伸びる縦長の略長方形板状の垂直部２５０ｂから構成された略Ｌ字形の一体形状の部材となっている。換言すれば、カバー部材２５０は、前方（表側）から見た場合に、主基板収納ケース２１０の左上角部から右方向に略水平に伸びる辺の近傍の領域、および左上角部から下方向に略垂直に伸びる辺の近傍の領域を覆うことが可能なＬ字形状に一体的に構成されている。
【００６４】
本実施形態では、このようにカバー部材２５０をＬ字形状とすることにより、主基板収納ケース２１０の開封を阻止する開封阻止部であるケース用かしめ部２１２ｃ、２１３ｃ、固定用かしめ部２１２ｄ、２１３ｄ、ＩＣタグ封印シール２１５、およびコネクタ２１１ｃを１つの部材で効率的に覆いながらも、主基板収納ケース２１０内部の視認性、特に中央部の視認性を確保することで、主制御基板２１１に実装されたＲＯＭ３１２の目視による確認を阻害することがないようにしている。また、ＣＰＵやＲＡＭ等のその他の電子部品２１１ａについても、目視により容易に状態を確認することができるようになっている。
【００６５】
カバー部材２５０の水平部２５０ａの上端の左右両端部近傍、および垂直部２５０ｂの下端の３箇所には、鉤形舌片２５１が設けられている。この３つの鉤形舌片２５１は、後方の取付ベース２３０に向けて（裏側に向けて）突設された平板の先端部を外側に向けて曲折した形状となっている。また、垂直部２５０ｂの下端近傍には、矩形断面の孔である制止孔２５２が設けられている。これらの鉤形舌片２５１および制止孔２５２は、カバー部材２５０を取付ベース２３０に固定するためのものである。カバー部材２５０の取付ベース２３０への取付については後述する。
【００６６】
カバー部材２５０の垂直部２５０ｂは、コネクタ２１１ｃを覆う部分であるため、コネクタ２１１ｃに接続されるケーブルと干渉しないように垂直部２５０ｂの一部を前方（表側）に向けて膨出させた膨出部２５３が形成されている。従って、カバー部材２５０を取付ベース２３０に固定した状態では、コネクタ２１１ｃに接続されたケーブルは部分的にこの膨出部２５３の内部に収容されることとなる。
【００６７】
カバー部材２５０は、カバー用かしめピン２６０により、取付ベース２３０への固定が封印（かしめ）される。このカバー用かしめピン２６０は、カバー部材２５０に係止する第１係止部２６１と、カバー部材２５０および取付ベース２３０の両方に係止する第２係止部２６２と、第１係止部２６１および第２係止部２６２を連結する連結部２６３から構成されている。さらに、第２係止部２６２は、カバー部材２５０および取付ベース２３０の両方に係止せずに挿入される平坦部２６２ａと、カバー部材２５０を通して取付ベース２３０に係止することでカバー部材２５０および取付ベース２３０の両方に係止する退避部２６２ｂと、平坦部２６２ａおよび退避部２６２ｂの間に突設され、位置決めのためにカバー部材２５０のみに挿入される四角柱状の位置決め部２６２ｃから構成されている。
【００６８】
カバー部材２５０の水平部２５０ａの右端部近傍には、カバー用かしめピン２６０の第１係止部２６１と係止する第１係止部用係止孔２５４と、平坦部２６２ａが挿入される平坦部用第２挿入孔２５５と、退避部２６２ｂが挿入される退避部用挿入孔２５６と、位置決め部２６２ｃが挿入される位置決め部用挿入孔２５７が設けられている。
【００６９】
＜主基板収納ケースの基板収納体＞
次に、図７および図８を用いて、主基板収納ケース２１０の基板収納体２１２について詳細に説明する。なお、図７は、主基板収納ケース２１０の主制御基板２１１および基板収納体２１２を示した外観斜視図である。また、図８（ａ）は、基板収納体２１２に主制御基板２１１を取付けた状態を示した外観斜視図であり、同図（ｂ）は、同図（ａ）のＩ−Ｉ線に沿う断面図である。
【００７０】
図７に示すように、基板収納体２１２の底板２１２ｈの内面には、底板２１２ｈの外周に沿って複数（この例では、８個）の板状の基板支持部２１２ｊが形成されている。主制御基板２１１は、これら複数の基板支持部２１２ｊによって、基板収納体２１２の底板２１２ｈの内面と第１の間隔（この例では、図８（ｂ）に示す間隔Ｂ）を保ちながら支持されるとともに、ネジ２１１ｂによって基板収納体２１２に固定される。
【００７１】
また、基板収納体２１２の底板２１２ｈの内面には、主制御基板２１１に実装されたＲＯＭ３１２のＩＣソケット３１２ａに向けて、不正防止部２１６が突出形成されている。不正防止部２１６の幅方向長さＷ１は、ＩＣソケット３１２ａの幅方向長さＷ２よりも長くしているとともに、不正防止部２１６の長手方向Ｌ１は、ＩＣソケット３１２ａの長手方向長さＬ２よりも長くしている。すなわち、不正防止部２１６における主制御基板２１１側の面の面積（Ｗ１×Ｌ１）は、ＩＣソケット３１２ａにおける基板収納体２１２側の面の面積（Ｗ２×Ｌ２）よりも大きくしており、仮に不正防止部２１６を主制御基板２１１側に垂直移動させた場合に不正防止部２１６の移動軌跡によって形成される仮装空間内に、ＩＣソケット３１２ａの全体が収納される関係になっている。
【００７２】
また、不正防止部２１６は、長手方向両側に直線状に形成された溝部２１６ａと、主制御基板２１１側に向けて突出形成された円形状の２つの突出部２１６ｂを有して構成されている。溝部２１６ａは、主制御基板２１１を基板収納体２１２の基板支持部２１２ｊにセットしたときに、ＩＣソケット３１２ａの足（リード）の少なくとも一部を自身の内部空間に収容可能としており、これにより、外部からＩＣソケット３１２ａの足にアクセスして、ＩＣソケット３１２ａの足に不正な細工を施すことを不可能または困難にしている。
【００７３】
突出部２１６ｂは、主制御基板２１１を基板収納体２１２の基板支持部２１２ｊにセットしたときに、主制御基板２１１の裏面（基板収容体２１２側の面）に当接または近接するような高さにしており、これにより、主制御基板２１１を基板収納体２１２の基板支持部２１２ｊにセットした状態で主制御基板２１１に電子部品（例えば、ＲＯＭ３１２）を実装する際に、突出部２１６ｂは主制御基板２１１を裏側から支持する支持部材として機能し、主制御基板２１１の曲げや破損を防止可能としている。なお、不正防止部２１６における突出部２１６ｂの配設位置は特に限定されないが、突出部２１６ｂが主制御基板２１１を裏側から支持する支持部材として機能する際に、主制御基板２１１の裏側に形成された信号線などに接触しないような位置であることが好ましい。
【００７４】
このような構成により、スロットマシン１００では、図８（ｂ）に示すように、主制御基板２１１の裏面と不正防止部２１６とによって形成される空間の間隔を、上述の第１の間隔Ｂよりも狭い第２の間隔Ａとしており、ＲＯＭ３１２の裏側方向の空間に不正な部品が取り付けられるような不正行為を防止している。
【００７５】
図９は、主制御基板２１１におけるＩＣソケット３１２ａ周辺を拡大して示した図である。本実施形態では、ＩＣソケット３１２ａの幅方向両側に、それぞれ１４ｍｍ以上のスペースを設けるとともに、ＩＣソケット３１２ａの長手方向両側に、それぞれ１０ｍｍ以上のスペースを設けている。このＩＣソケット３１２ａの周囲のスペース（同図の斜線部分）は、図示しない試験器を装着したり、封印シールを貼り付けるためのスペースである。
【００７６】
本実施形態では、不正防止部２１６における主制御基板２１１側の面の面積を、ＩＣソケット３１２ａにおける基板収納体２１２側の面の面積よりも大きくしたが、例えば、不正防止部２１６における主制御基板２１１側の面の面積を、ＩＣソケット３１２ａおよびその周囲のスペースを含む面の面積よりも大きくしてもよい。このような構成とすれば、外部からＩＣソケット３１２ａの足にアクセスして、ＩＣソケット３１２ａの足に不正な細工を施すことを、より一層、不可能または困難にすることが可能となる。
【００７７】
＜変形例１＞
次に、図１０を用いて、変形例１に係る基板収納体５０２について詳細に説明する。なお、同図（ａ）は基板収納体５０２の外観斜視図であり、同図（ｂ）は同図（ａ）におけるＩＩ−ＩＩ線に沿う断面図である。
【００７８】
変形例１に係る基板収納体５０２の底板５０２ａの内面には、主制御基板２１１側に向けて不正防止部５０４が突出形成されており、同図（ｂ）に示すように、不正防止部５０４の底部には空間が形成されている。また、不正防止部５０４は、主制御基板２１１を基板収納体５０２の基板支持部５０２ｂにセットしたときに、主制御基板２１１に固定されたＩＣソケット３１２ａの裏側方向に位置するように配置されている。
【００７９】
このような構成により、変形例１に係るスロットマシンでは、同図（ｂ）に示すように、主制御基板２１１の裏面と不正防止部５０４とによって形成される空間の間隔を、基板収納体５０２の底板５０２ａと主制御基板２１１の裏面との間の第１の間隔Ｂよりも狭い第２の間隔Ａとしており、ＲＯＭ３１２の裏側方向の空間に不正な部品が取り付けられるような不正行為を防止している。なお、この例では、不正防止部５０４の底部に空間を設けたが、同図（ｃ）に示すように、不正防止部の底部を、基板収納体の底部と面一にしてもよい。
【００８０】
＜変形例２＞
次に、図１１を用いて、変形例２に係る基板収納体５１２について詳細に説明する。なお、同図（ａ）は基板収納体５１２の外観斜視図であり、同図（ｂ）は同図（ａ）におけるＩＩＩ−ＩＩＩ線に沿う断面図である。
【００８１】
変形例２に係る基板収納体５１２の底板５１２ａの内面には、主制御基板２１１側に向けて不正防止部５１４が突出形成されている。この不正防止部５１４は、同図（ｂ）に示すように、主制御基板２１１を基板収納体５１２の基板支持部５１２ｂにセットしたときに、主制御基板２１１に固定されたＩＣソケット３１２ａの裏側方向に位置するように配置されている。また、不正防止部５１４には、複数（この例では、８個）の凹部５１４ａが形成されている。
【００８２】
このような構成により、変形例２に係るスロットマシンでは、同図（ｂ）に示すように、主制御基板２１１の裏面と不正防止部５１４とによって形成される空間の間隔を、基板収納体５１２の底板５１２ａと主制御基板２１１の裏面との間の第１の間隔Ｂよりも狭い第２の間隔Ａ（または間隔Ｃ）としており、ＲＯＭ３１２の裏側方向の空間に不正な部品が取り付けられるような不正行為を防止している。
【００８３】
＜変形例３＞
次に、図１２を用いて、変形例３に係る基板収納体５２２について詳細に説明する。なお、同図（ａ）は基板収納体５２２の外観斜視図であり、同図（ｂ）は同図（ａ）におけるＩＶ−ＩＶ線に沿う断面図である。
【００８４】
変形例３に係る基板収納体５２２の底板５２２ａの内面には、主制御基板２１１側に向けて不正防止部５２４が突出形成されている。この不正防止部５２４は、同図（ｂ）に示すように、主制御基板２１１を基板収納体５２２の基板支持部５２２ｂにセットしたときに、主制御基板２１１に固定されたＩＣソケット３１２ａの裏側方向に位置するように配置されている。また、この例では、不正防止部５２４は、センター部５２４ａと、このセンター部５２４ａの両側に配設されたサイド部５２４ｂ、５２４ｃの３つの部位で構成されている。サイド部５２４ｂ、５２４ｃは、主制御基板２１１を基板収納体５２２の基板支持部５２２ｂにセットしたときに、ＩＣソケット３１２ａの足（リード）の少なくとも一部を自身の内部空間に収容可能としており、これにより、外部からＩＣソケット３１２ａの足にアクセスして、ＩＣソケット３１２ａの足に不正な細工を施すことを不可能または困難にしている。
【００８５】
このような構成により、変形例３に係るスロットマシンでは、同図（ｂ）に示すように、主制御基板２１１の裏面と不正防止部５２４とによって形成される空間の間隔を、基板収納体５２２の底板５２２ａと主制御基板２１１の裏面との間の第１の間隔Ｂよりも狭い第２の間隔Ａとしており、ＲＯＭ３１２の裏側方向の空間に不正な部品が取り付けられるような不正行為を防止している。
【００８６】
＜変形例４＞
次に、図１３を用いて、変形例４に係る基板収納体５３２について詳細に説明する。なお、同図は基板収納体５３２の外観斜視図である。
【００８７】
変形例４に係る基板収納体５３２の底板５３２ａの内面には、不正防止部５３４を取り付けるための取付部５３２ｂが２つ形成されている。上記実施形態では、不正防止部を基板収納体に一体的に形成する例を示したが、変形例４に係るスロットマシンのように、基板収納体５３２と不正防止部５３４を別体としてもよい。このような構成とすれば、予め用意した複数種類の不正防止部の中から、基板収納体５３２に収納する主制御基板に最適な不正防止部を選択・配設できる場合があり、利便性を高めることが可能となる。なお、この例では、１つの不正防止部を取り付ける例を示したが、複数種類の不正防止部を取り付けるために複数の取付部を備えていてもよく、また、１つの不正防止部の取り付け位置を適宜変更するために複数の取付部を備えていてもよい。このような構成とすれば、さらに利便性を高めることができる場合がある。
【００８８】
以上説明したように、本実施形態に係るスロットマシン１００は、遊技制御部（例えば、ＲＯＭ３１２）を有する制御回路基板（例えば、主制御基板２１１）と、前記制御回路基板を内部に収容可能な収容ケース（例えば、基板収納体２１２）と、を備えた遊技台において、前記制御回路基板は、前記収容ケースとの間に少なくとも第１の間隔（例えば、間隔Ｂ）を空けて前記収容ケースに支持され、前記収容ケースは、前記遊技制御部に向けて突出する不正防止部（例えば、不正防止部２１６）をさらに有し、前記制御回路基板と前記不正防止部の少なくとも一部とによって形成される空間の間隔が、前記第１の間隔よりも狭い第２の間隔（例えば、間隔Ａ）とされていることを特徴とする、遊技台である。なお、本発明に係る遊技制御部はＲＯＭに限定されず、例えば、ＣＰＵ３１０やＲＡＭ３１４なども含まれる。
【００８９】
本実施形態に係るスロットマシン１００によれば、制御回路基板と収容ケースとの間に所定の隙間を確保することによって制御回路基板から発生する熱の上昇を抑えることを可能としながら、不正防止部を設けることによって制御回路基板と収容ケースとの間に不正な部品を取り付けることを不可能または困難にすることができる。このため、発熱による異常動作や不正な部品の取付を未然に防止し、遊技の公平性を確保することができる場合がある。
【００９０】
また、前記不正防止部における前記制御回路基板側の面の大きさが、前記遊技制御部、または、前記遊技制御部を載置するためのＩＣソケット（例えば、ＩＣソケット３１２ａ）における前記収容ケース側の面の大きさよりも大きくてもよい。このような構成とすれば、遊技制御部またはＩＣソケットの裏側を不正防止部によって確実に隠蔽することができ、遊技制御部またはＩＣソケットの裏側に不正な部品を取り付けることを、より一層、不可能または困難にすることができる場合がある。
【００９１】
また、前記制御回路基板は、前記遊技制御部を載置するためのＩＣソケットをさらに有し、前記不正防止部は、前記ＩＣソケットのリード部の少なくとも一部を収容する溝部（例えば、溝部２１６ａ）を有していてもよい。このような構成とすれば、外部からＩＣソケットの足にアクセスして、ＩＣソケットの足に不正な細工を施すことを不可能または困難にすることができる上に、不正防止部とＩＣソケットの足が干渉し合うことを防止でできる場合がある。
【００９２】
また、前記不正防止部は、前記遊技制御部または前記ＩＣソケットの少なくとも一部が視認可能な透明または半透明の材料であってもよい。このような構成とすれば、不正な部品の取付を未然に防止しつつ、遊技制御部またはＩＣソケットを外部から視認可能とすることによってメンテナンス性を確保できる場合がある。
【００９３】
また、前記不正防止部は、前記制御回路基板に当接可能な突出部（例えば、突出部２１６ｂ）、換言すれば、制御回路基板の撓みを制限するために制御回路基板に向けて突出する突出部をさらに有してもよい。このような構成とすれば、制御回路基板に遊技制御部を実装する際に、突出部を制御回路基板を裏側から支持する支持部材として機能させることができ、制御回路基板の曲げや破損を防止できる場合がある。
【００９４】
また、前記不正防止部は、前記収容ケースと別体であってもよい。このような構成とすれば、予め用意した複数種類の不正防止部の中から、収容ケースに収納する制御回路基板に最適な不正防止部を選択・配設できる場合があり、利便性を高めることができる場合がある。
【００９５】
なお、本発明に係る遊技台は、「複数種類の図柄が施された複数のリールと、このリールの回転を開始させるためのスタートレバーと、各々のリールに対応して設けられ、リールの回転を個別に停止させるためのストップボタンと、予め定められた役の内部当選の当否を抽選により判定する抽選手段と、この抽選手段の判定結果とストップボタンの操作に基づいて、リールを停止させるリール停止制御手段と、を備え、停止時のリールにより表示される図柄の組合せが、内部当選した役に対応して予め定められた図柄の組合せである場合に前記役に入賞するように構成されたスロットマシン」に好適であるが、上記実施形態に示されるようなスロットマシンの構造等に限定されるものではない。
【００９６】
従って、例えば、上記実施形態においては、メダル（コイン）を遊技媒体としたスロットマシンの例を示したが、本発明はこれに限定されるものではなく、例えば、遊技球（例えば、パチンコ玉）を遊技媒体としたスロットマシン（いわゆるパロット）やパチンコ遊技機などにも適用可能である。
【００９７】
ここで、本発明が適用されるパチンコ遊技機としては、リール（回転体）などの可動体を有し所定の図柄(識別情報)を変動表示する可変表示装置を備え、始動入賞口に遊技球が入って入賞することを契機として、可変表示装置が図柄を変動させた後に停止表示させて、遊技状態の推移を告知するようなパチンコ遊技機が一例として挙げられる。このようなパチンコ遊技機では、遊技球が始動入賞口に入球すると、抽選を行い、この抽選結果が当りであるか否かを判定する。そして、この抽選で大当たりに当選すると、可変表示装置により、特定の図柄による組合せ(大当たり図柄；例えば、７７７など)が表示され、大当たり状態に移行する。大当たり状態では、大入賞口が、例えば、所定の時間または所定の回数、開放され続けるので、遊技球は入球しやすい状態となり、遊技者にとって有利な状態が実現されるようになっている。また、特定の図柄による組合せ(大当たり図柄)が、確率変動を伴う大当たり図柄（確変図柄）である場合には、次に大当たりとなる確率が高くなり、遊技者にとってさらに有利な状態が実現される。
【００９８】
また、本発明の実施例に記載された作用および効果は、本発明から生じる最も好適な作用および効果を列挙したに過ぎず、本発明による作用および効果は、本発明の実施例に記載されたものに限定されるものではない。
【産業上の利用可能性】
【００９９】
本発明は、スロットマシンやパチンコ機等に代表される遊技台の分野で特に利用することができる。
【符号の説明】
【０１００】
１００  スロットマシン
１１０〜１１２  リール
１３５  スタートレバー
１３７〜１３９  ストップボタン
２１０  主基板収納ケース
２１２  基板収納体
２１３  蓋体
３００  主制御部
４００  副制御部
【図１】
2011055930.tif 000003
【図２】
2011055930.tif 000004
【図３】
2011055930.tif 000005
【図４】
2011055930.tif 000006
【図５】
2011055930.tif 000007
【図６】
2011055930.tif 000008
【図７】
2011055930.tif 000009
【図８】
2011055930.tif 000010
【図９】
2011055930.tif 000011
【図１０】
2011055930.tif 000012
【図１１】
2011055930.tif 000013
【図１２】
2011055930.tif 000014
【図１３】
2011055930.tif 000015